(57)【特許請求の範囲】
【請求項１】
駆動手段を第１の方向に回転することにより処理した媒体を排出口まで搬送し、前記駆動手段を前記第１の方向とは逆の第２の方向に回転することにより装置内の取込部の端部に設けた取込手段を回転させ、排出口で抜き取られなかった媒体を前記取込部に取込む媒体処理装置において、
前記駆動手段を前記第２の方向に回転するときにのみ前記取込手段を回転させ、駆動手段を前記第１の方向に回転するときには前記取込手段は回転させないようにし、
前記取込部に回動可能に設けられ、前記駆動手段による前記第１の方向の回転により、前記取込部内の媒体を押える方向に回動し、前記駆動手段による前記第２の方向の回転により、前記取込部内の媒体から離れる方向に回動する媒体押え手段を設けたことを特徴とする媒体処理装置。
【請求項２】
前記媒体押え手段は、前記駆動手段が前記第１の方向の回転を停止した後も前記取込部内の媒体を押える状態を維持する請求項１記載の媒体処理装置。
【発明の詳細な説明】
【０００１】
【発明の属する技術分野】
本発明は、媒体処理装置に関し、特に金融機関等に備えられている自動取引装置に内蔵され、レシート用紙を処理する処理装置に関する。
【０００２】
【従来の技術】
従来、金融機関や流通機構などに設置される現金自動取引装置には、現金取扱いや公共料金の支払いなどに関する明細書を発行するレシート発行装置が備えられている。レシート発行装置は、レシート供給部と、印字部と、レシート切断部を具備している。レシート発行要求があると、レシート供給部に装填されているロール状のレシート用紙を繰出し、繰出したレシート用紙に対して印字部で取引データ等の印字を行い、その後レシート切断部で所定の大きさに切断し、切断したものをレシート用紙として顧客受け取り口まで搬送する。
【０００３】
顧客受け取り口まで搬送されたレシート用紙は、通常は顧客により抜き取られるが、所定時間経っても抜き取られない場合、あるいは顧客が取り忘れた場合は、レシート用紙を再び装置内に取り込み、予め設けてある取込部まで搬送し、この取込部に収容するようにしている。取込部に収容するレシート用紙は、取り忘れたものだけでなく、例えば、取引データを印字した後に取引が中止になった場合のレシート用紙も含まれる。
【０００４】
レシート取込部は、自動取引装置の連続運用を行うためおよびオペレータの介入の頻度を少なくするために、容量を大きくすることが要求される。多くのレシート用紙を取込部に収容するためには、当然大きなスペースを必要とする。
【０００５】
【発明が解決しようとする課題】
しかしながら従来の装置においては、切断した後のレシート用紙を顧客受け取り部へ搬送するためのモータと、顧客受け取り部からレシート取込部へレシート用紙を搬送するためのモータは同じものを用い、それぞれの場合で回転方向を逆にして駆動していた。レシート取込部の端部には取込ローラが設けられており、この取込ローラで送られてきたレシート用紙をレシート取込部に送り込むようにしていた。
【０００６】
したがってレシート用紙を顧客受け取り部へ搬送する場合には、レシート用紙をレシート取込部に送り込むための取込ローラがレシート用紙をレシート取込部に送り込む方向と逆方向に回転する。そのため例えば、レシート取込部内にレシート用紙が満杯に収容されている場合には上部のレシート用紙が取込ローラに接触し、取込ローラの回転によりレシート用紙が取込部の外部へ出される虞があった。そのため、レシート取込部は取込むレシート用紙の最大量を上部のレシート用紙が取込ローラに接触しないように設定しなければならず、その結果、レシート用紙が十分収容できないという問題があった。
【０００７】
【課題を解決するための手段】
上記課題を解決するために本発明は、駆動手段を第１の方向に回転することにより処理した媒体を排出口まで搬送し、前記駆動手段を前記第１の方向とは逆の第２の方向に回転することにより装置内の取込部の端部に設けた取込手段を回転させ、排出口で抜き取られなかった媒体を前記取込部に取込む媒体処理装置において、前記駆動手段を前記第２の方向に回転するときにのみ前記取込手段を回転させ、駆動手段を前記第１の方向に回転するときには前記取込手段は回転させないようにし、前記取込部に回動可能に設けられ、前記駆動手段による前記第１の方向の回転により、前記取込部内の媒体を押える方向に回動し、前記駆動手段による前記第２の方向の回転により、前記取込部内の媒体から離れる方向に回動する媒体押え手段を設けたことを特徴とするものである。
【０００８】
上記構成を有する本発明によれば、媒体を排出口に搬送する場合、媒体押え手段が取込部内の媒体を押える方向に回動するので、取込部内の媒体を詰めて集積することができ、取込部のさらなる大容量化を図ることができる効果がある。
【０００９】
【発明の実施の形態】
以下、本発明の実施の形態を説明する。図１は本発明の実施の形態の媒体処理装置を示す概略構成図である。なお本実施の形態では媒体処理装置として自動取引装置に内蔵されるレシート発行装置を例に説明する。
【００１０】
図１において、レシート発行装置１には、レシート供給部２、レシートローディング部３、レシート搬送路４およびレシート取込部５が設けてある。レシート供給部２には２個のロール状のレシート用紙６が載置可能になっており、その下部にはそれぞれレバー部７が設けられている。レバー部７はギアとカムで構成され、ＤＣモータ８を駆動することにより支点７ａを中心に時計回り方向に回動し、レシート供給部２に載置されたレシート用紙６をレシートローディング部３へ移動させる。レシート用紙６はロール状の感熱紙で、内側が発色面となっている。レシート用紙６には予め罫線や明細票種類等の印刷がなされ、発行単位のレシート用紙が連続的につながっている。
【００１１】
レシートローディング部３は、ロール状のレシート用紙６が載置可能になっていて、繰出しベルト９、搬送ベルト１０および分離ガイド１１が具備されている。繰出しベルト９はプーリー１２、１３に巻き掛けられ、レシート用紙６を回転することによりレシート用紙６の先端部を繰出す。搬送ベルト１０はプーリー１３と同軸のプーリーとプーリー１４に巻き掛けられ、繰出されたレシート用紙６の先端部をさらに搬送する。分離ガイド１１はレシート用紙６の先端部を巻状態から分離する。またレシートローディング部３にはレシート用紙６の有無を検出するセンサ１５と、レシート用紙６の先端部が繰出されたことを検出するセンサ１６が設けられている。
【００１２】
レシート搬送路４は３つの部分から構成される。即ち、レシートローディング部３から分岐点１７までの印字搬送路１８と、分岐点１７から顧客受取口１９までの排出搬送路２０と、分岐点１７からレシート取込部５までの取込搬送路２２とで構成される。印字搬送路１８に沿って、サーマルヘッド２３とプラテンローラ２４から成る印字部２５と、レシート用紙６を発行単位の大きさに切断する切断部２６と印字されたレシート用紙の通過を検出するセンサ２７が設けられている。また分岐点１７にはレシート用紙の搬送方向を切り替える切替ブレード２８が支点２８ａを中心に回転可能に設けられている。
【００１３】
排出搬送路２０に沿って、搬送ローラ２９、マークセンサ３０および検出センサ３１が設けられている。搬送ローラ２９はそれぞれ両方向に回転可能である。マークセンサ３０は、レシート用紙６に予め印刷してあるマークを検出するもので、この検出によりレシート用紙６の切断位置を決定する。検出センサ３１は切断されたレシート用紙６の有無を検出する。顧客受取口１９は切断されたレシート用紙６を顧客に受け渡すところである。
【００１４】
取込搬送路２２に沿って、搬送ローラ３２、３３、取込ローラ３４、通過センサ３５、３６がそれぞれ設けられている。取込ローラ３４は従動ローラ４３とともに、搬送されてきたレシート用紙をレシート取込部５内に取込むもので、軸３４ａに取付けられている。
【００１５】
図２は実施の形態における取込ローラ３４の近辺を示す斜視図である。図２において、取込ローラ３４の軸３４ａには、ワンウェイクラッチ４５を介してギア４６が取付けられている。ギア４６はギア４７に噛み合い、ギア４７はプーリー４８と一体に回転する。プーリー４８にはベルト４９が掛け渡されており、ベルト４９は駆動源（後述するモータ４１）からの回転力により回転する。プーリー４８に伝えられた回転力は、その回転方向が取込ローラ３４を図１における反時計回り方向に回転する方向のときに、ワンウェイクラッチ４５は軸３４ａに伝達し、その逆方向のときは伝達されない。即ち、取込ローラ３４はレシート用紙をレシート取込部５に取込む場合にのみ回転するようになっている。
【００１６】
ギア４７が取り付けられた軸はトルクリミッタ５０を介して押えレバー３８の側壁に取り付けられている。ギア４７が回転すると、押えレバー３８の支点３８ａを中心に回転するが、トルクリミッタ５０を介しているので、押えレバー３８に一定以上の負荷がかかると回転を停止する。
【００１７】
図３は実施の形態における取込ローラ３４の近辺を示す側面図である。図１、図２、図３において、レシート取込部５にはレシート用紙６が集積される集積部３７と、集積部３７に集積されたレシート用紙６を上方から押さえる押えレバー３８と、押えレバー３８と連動して集積されたレシート用紙６の高さを検出してレシート取込部５が満杯であることを検出するフル検出センサ３９を設けてある。集積部３７は集積ブラケット５１により構成される。
【００１８】
集積ブラケット５１の前端部には集積ガイド５２が形成され、集積ガイド５２の上端部は、図３に示すように、下側の搬送ガイド５３の下側に位置してレシートが良好に集積部３７に入り込むようになっている。また集積ガイド５２の内側（集積されたレシート用紙の端部が接触する側）と取込ローラ３４との間には水平方向に距離ａだけ間隔が空けられており、取込ローラ３４のほぼ下半分に集積されたレシート用紙が接触しないようになっている。これによりレシート用紙の端部がローラと接触することにより起こる端面ガレが防止できる。
【００１９】
モータ４０は、プーリー１２、１３、１４およびプラテンローラ２４を回転させる。またモータ４１は、切替ブレード２８、排出搬送路２０の搬送ローラ２９、取込搬送路２２の搬送ローラ３２、３３及び取込ローラ３４、および押えレバー３８を駆動する。切替ブレード２８は、軸２８ａ上にある一定以下の回転力しか伝えられないトルクリミッタを具備したギアを介してモータ４１の動力を受け、レシート用紙６の搬送方向を切り替える。
【００２０】
モータ４１が正転のときは、レシート用紙が印字搬送路１８から排出搬送路２０へ搬送されるように切り替わり、モータ４１が逆転するときは、レシート用紙が排出搬送路２０から取込搬送路２２へ搬送されるように切り替わる。
【００２１】
次に本実施の形態の動作を図面にしたがって説明する。図１において、左側のレシート供給部２にロール状のレシート用紙６がセットされると、ＤＣモータ８が駆動され、レシート用紙６の下のレバー７が時計回り方向に支点７ａを中心に回転し、右側の供給部に移動させる。移動したレシート用紙６はさらにＤＣモータ８が駆動されることによりその下側のレバー７が時計回り方向に回転し、レシート用紙６はレシートローディング部３に移動する。レバー７は約９０度回転し、その状態を維持する。これによりレシート用紙６はレシートローディング部３に保持される。なおレシートローディング部３には図示しないカバーが設けられ、上部からレシート用紙６を保持する構成になっている。
【００２２】
レシートローディング部３に移動し、繰出しベルト９上に載置されたレシート用紙６は、センサ１５でレシートローディング部３にセットされたことを検出する。この検出により、モータ４０が正回転される。モータ４０の正回転により繰出しベルト９および搬送ベルト１０が回転する。繰出しベルト９の回転によりレシート用紙６は反時計回り方向に回転し、レシート用紙６に接触している分離ガイド１１によりその先端部がレシート用紙本体から分離される。分離されたレシート用紙の先端部は搬送ベルト１０により印字搬送路１８方向へ搬送される。レシート用紙６の先端部がセンサ１６を通過した時点から所定距離だけ搬送されて停止される。この位置は、先端部が印字部２５を通過し、切断部２６まで到達した位置である。これによりレシート用紙６のローディングが完了する。
【００２３】
自動取引装置の取引内容に応じてレシート発行装置１が印字処理の命令を受けると、モータ４０およびモータ４１が同期して正回転する。モータ４０の正回転によりレシート用紙６は搬送ベルト１０、プラテンローラ２４により規定量搬送された後、印字ヘッド２３により取引内容が印字される。印字が終了すると、レシート用紙６はモータ４１の正回転により、印字搬送路１８から排出搬送路２０へ向けて搬送される。
【００２４】
なおこのとき分岐点１７にある切替ブレード２８は、図４に示すように、モータ４１の正回転によりレシート用紙６を排出搬送路２０方向へ導く位置にある。排出搬送路２０に配置したマークセンサ３０によりレシート用紙６が検出されると、モータ４０およびモータ４１の回転を停止し、レシート用紙６の搬送を停止する。
【００２５】
ここで切断部２６によりレシート用紙６は規定の長さに切断される。切断された印字済みのレシート用紙６は、モータ４１の正回転により駆動される搬送ローラ２９により顧客受取口１９から所定量突出した位置まで搬送され、停止する。レシート用紙６が顧客により引き抜かれることにより、レシート発行処理を終了する。レシート用紙６の引き抜きはセンサ３１により検出される。
【００２６】
顧客受取口１９から突出させたレシート用紙６が顧客により引き抜かれないまま所定時間が経過すると、装置は顧客のレシート取り忘れと判断する。この場合はまず、モータ４１を逆回転させる。モータ４１の逆回転により、図５に示すように、切替ブレード２８はレシート用紙を排出搬送路２０から取込搬送路２２へ導く位置に回動し、また排出搬送路２０の搬送ローラ２９が前述と逆方向に回転するとともに、取込搬送路２２内の搬送ローラ３２、３３、取込ローラ３４がレシート用紙をレシート取込部５方向へ搬送するように回転する。
【００２７】
取り忘れられたレシート用紙６は、搬送ローラ２９により排出搬送路２０内を前述と反対方向に搬送され、さらに取込搬送路２２へ送り込まれる。取込搬送路２２では搬送ローラ３２、３３によりさらに搬送され、レシート用紙６の先頭部がセンサ３６により検出され、取込ローラ３４により集積部３７内へ集積される。センサ３６がレシート用紙６の先頭部を検出した時点から一定時間経過後にモータ４１が停止される。取込ローラ３４は一定時間回転した後、回転を停止する。
【００２８】
次にレシート取込部における動作について図６、図７、図８により説明する。図６、図７、図８はレシート取込部の動作を示す説明図である。取り忘れられたレシート用紙６が集積部３７に集積された後に、モータ４１は次の発行処理において再び正回転する。この正回転により、図２に示すベルト４９、プーリー４８、ギア４７およびトルクリミッタ５０を介して回転力が伝達され、レシート取込部５の押えレバー３８は図６における反時計回り方向に回転する。このとき取込ローラ３４は、図２に示すワンウェイクラッチ４５の働きにより回転しない。
【００２９】
押えレバー３８は次第に下降して集積してあるレシート用紙６の上面に当接し、レシート用紙６を押え付ける。モータ４１はなおも回転を続けるが、トルクリミッタ５０の働きにより押えレバー３８は当接状態を維持する。したがって装置１が待機時（非動作時）には取り忘れレシート用紙６は押えレバー３８に押圧された状態となっている。
【００３０】
レシート用紙６の取り忘れが発生した場合は上述のようにモータ４１が逆回転される。モータ４１が逆回転すると、ワンウェイクラッチ４５の作用により取込ローラ３４が回転するとともに、押えレバー３８が図７における時計回り方向に回転し、レシート用紙６から離れる。この状態でレシート用紙６が取込ローラ３４により取り込まれる。
【００３１】
集積部３７内のレシート用紙６が次第に増加し、集積されたレシート用紙６の上面の位置が高くなると、図８に示すように、レシート用紙６の上面６ａが取込ローラ３４に接触するようになる。この状態でもレシート発行装置１は上位装置からの命令によりレシートの発行処理を行う。したがってレシート用紙６が取込ローラ３４に接触した状態で、モータ４１が正回転することがある。
【００３２】
しかしながら本実施の形態においては、モータ４１が正回転するときはワンウェイクラッチ４５の働きにより取込ローラ３４は回転しないので、取込ローラ３４に接触するレシート用紙６が取込ローラ３４の回転によりレシート取込部５の外部へ出されることはない。またレシート用紙６を新たに取込む場合は、取込ローラ３４がすでに集積してあるレシート用紙６に接触した状態で回転し、この回転により集積済みのレシート用紙６は図８に示す矢印Ａ方向に移動しようとするが、この場合は、図２に示す集積ガイド５２により集積状態のレシート用紙６の移動が阻止され、集積部３７から外へ出ることはない。
【００３３】
【発明の効果】
以上詳細に説明したように本発明によれば、媒体を取込部に取込む場合にのみ取込手段を回転させ、それ以外の場合は取込手段を回転させないようにしたので、すでに取り込まれている媒体が取込手段に接触するほど多い場合でも、媒体は取込手段によって取込部から弾き出されることはなくさらに取込が可能で、取込部の大容量化が図れる。
【図面の簡単な説明】
【図１】本発明の実施の形態の媒体処理装置を示す概略構成図である。
【図２】実施の形態における取込ローラの近辺を示す斜視図である。
【図３】実施の形態における取込ローラの近辺を示す側面図である。
【図４】切替ブレードの動作を示す説明図である。
【図５】切替ブレードの動作を示す説明図である。
【図６】レシート取込部の動作を示す説明図である。
【図７】レシート取込部の動作を示す説明図である。
【図８】レシート取込部の動作を示す説明図である。
【符号の説明】
１  レシート発行装置
５  レシート取込部
６  レシート用紙
３４  取込ローラ
４１  モータ
４５  ワンウェイクラッチ
【図１】
0004878705.tif 000002
【図２】
0004878705.tif 000003
【図３】
0004878705.tif 000004
【図４】
0004878705.tif 000005
【図５】
0004878705.tif 000006
【図６】
0004878705.tif 000007
【図７】
0004878705.tif 000008
【図８】
0004878705.tif 000009